(57)【要約】【課題】  選択状態が順次、シフトしていく帯状発光領域を備えた照明装置を用いてブリンキングを実現した電気光学装置、選択状態が順次、シフトしていく帯状発光領域を備えた照明装置、および当該電気光学装置を備えた電子機器において、輝度のばらつきを解消可能な構成を提供すること。【解決手段】  ブリンキング方式を採用した電気光学装置において、バックライトとして用いた照明装置６は、互いに独立して発光可能な複数の帯状発光領域８ａ〜８ｆを備えている。複数の帯状発光領域８ａ〜８ｆの各々は、駆動信号を個別に印加するための第１の給電部８１ａ〜８１ｆと、帯状発光領域内で第１の給電部８１ａ〜８１ｆに近い領域の輝度を遠い領域の輝度よりも低下させる輝度調整部８３ａ〜８３ｆとを備えている。【選択図】  図８
2007078927.tif 000002
【特許請求の範囲】
【請求項１】
複数の走査線と、複数のデータ線と、前記複数の走査線と前記複数のデータ線との交差に対応して設けられた複数の画素によって構成された表示部とを有する電気光学装置において、
前記表示部の背面に配置され、前記走査線の延在方向に延びた複数の帯状発光領域が配列された照明装置と、
前記複数の帯状発光領域の各々に駆動信号を供給して、前記複数の帯状発光領域のうち、所定の帯状発光領域を所定の輝度で発光させて選択状態とするとともに、他の帯状発光領域を消灯あるいは前記所定の輝度より低い輝度で発光させて非選択状態とし、かつ、前記走査線の選択と同期して、前記選択状態となる帯状発光領域を前記走査線の選択方向に順次シフトさせる照明装置駆動回路とを有し、
前記複数の帯状発光領域の各々は、前記照明装置駆動回路からの駆動信号を前記複数の帯状発光領域に個別に印加するための第１の給電部と、前記第１の給電部に近い領域の輝度を低下させて当該近い領域と前記第１の給電部から遠い領域の輝度差を調整する輝度調整部とを備えていることを特徴とする電気光学装置。
【請求項２】
前記第１の給電部は、前記帯状発光領域の両端部の各々に配置されていることを特徴とする請求項１に記載の電気光学装置。
【請求項３】
前記輝度調整部は、前記第１の給電部に近い領域から遠い領域に向かって輝度を低下させていることを特徴とする請求項１または２に記載の電気光学装置。
【請求項４】
前記照明装置は、前記照明装置駆動回路からの駆動信号を前記複数の帯状発光領域の各々に印加するために前記第１の給電部と対をなす第２の給電部を前記複数の帯状発光領域で共通の給電部として備え、
前記複数の帯状発光領域のうち、前記第２の給電部に近い帯状発光領域では当該第２の給電部から遠い帯状発光領域に比較して前記輝度調整部での輝度を低下させていることを特徴とする請求項１乃至３の何れか一項に記載の電気光学装置。
【請求項５】
前記複数の帯状発光領域は、第１の電極と、少なくとも発光層を含む機能層と、および該機能層を介して前記第１の電極に対向する第２の電極とを備えたエレクトロルミネッセンス素子によって構成されていることを特徴とする請求項１乃至４の何れか一項に記載の電気光学装置。
【請求項６】
前記輝度調整部は、前記機能層の部分的な非形成領域、あるいは当該機能層に含まれる複数の層のうちの少なくとも１つの層の部分的な非形成領域によって構成されていることを特徴とする請求項５に記載の電気光学装置。
【請求項７】
複数の帯状発光領域が配列された照明装置において、
前記複数の帯状発光領域の各々に駆動信号を供給して、前記複数の帯状発光領域のうち、所定の帯状発光領域を所定の輝度で発光させて選択状態とするとともに、他の帯状発光領域を消灯あるいは前記所定の輝度より低い輝度で発光させて非選択状態とし、かつ、前記選択状態となる帯状発光領域を順次シフトさせる照明装置駆動回路を備え、
前記複数の帯状発光領域の各々は、前記照明装置駆動回路からの駆動信号を前記複数の帯状発光領域に個別に印加するための第１の給電部と、前記第１の給電部に近い領域の輝度を低下させて当該近い領域と前記第１の給電部から遠い領域の輝度差を調整する輝度調整部とを備えていることを特徴とする照明装置。
【請求項８】
請求項１乃至６の何れか一項に記載された電気光学装置を備えていることを特徴とする電子機器。
【発明の詳細な説明】
【技術分野】
【０００１】
本発明は、表示部の背面に照明装置を備えた電気光学装置、照明装置および電子機器に関するものである。さらに詳しくは、照明装置の構造に関するものである。
【背景技術】
【０００２】
ホールド型ディスプレイの高画質化を図る上での課題として、動画表示特性の改善が挙げられる。ホールド型ディスプレイとは、所定の期間（例えば１フレーム）に亘って、画像を表示し続けるディスプレイをいい、液晶などを用いたディスプレイはこのタイプに属する。この種のディスプレイにおいて、画素内のキャパシタ等に書き込まれたデータは、次のデータの書き込みが開始されるまで保持され、基本的に、データが保持されている間、光を出射する。そのため、所定の期間内で一時的に発光するインパルス型ディスプレイ（例えばＣＲＴ）と比較して、特に動画を表示する際に残像が目立ち、表示される動画が不鮮明になるという問題がある。このような問題を解決するために、従来より、動画表示プロセスにおいて黒画像を所定の間隔で挿入するブリンキング（Ｂｌｉｎｋｉｎｇ）と呼ばれる手法が提案されている。
【０００３】
このようなブリンキングを実現した電気光学装置としては、例えば、バックライトとして用いた照明装置において走査線の延在方向に延びた複数の帯状発光領域のうち、所定の帯状発光領域を所定の輝度で発光する選択状態とするとともに、他の帯状発光領域を消灯あるいは前記所定の輝度より低い輝度で発光する非選択状態とし、かつ、走査線の順次選択と同期して、選択状態となる帯状発光領域を走査線の選択方向に順次シフトさせる構成が提案されている（特許文献１、２参照）。
【特許文献１】特開２０００−２７５６０４号公報
【特許文献２】特開２００５−７０２２８号公報
【発明の開示】
【発明が解決しようとする課題】
【０００４】
このような電気光学装置を構成するにあたって、図１１に示すような帯状発光領域８ａ〜８ｆを駆動するには、例えば、複数の帯状発光領域８ａ〜８ｆの各々に、照明装置駆動回路からの駆動信号を複数の帯状発光領域８ａ〜８ｆに個別に印加するための第１の給電部８１ａ〜８１ｆを設けるとともに、第１の給電部〜８１ｆと対をなす第２の給電部８２を複数の帯状発光領域で共通の給電部として設けることになる。
【０００５】
しかしながら、帯状発光領域８ａ〜８ｆの両端部の各々に第１の給電部８１ａ〜８１ｆを配置した場合、照明装置の各発光領域が帯状で長いため、各帯状発光領域８１ａ〜８１ｆにおいて第１の給電部８１ａ〜８１ｆに接続された電極の抵抗の影響が顕在化しやすい。その結果、第１の給電部８１ａ〜８１ｆに近い両端領域では大きな電流が流れるので、輝度が高い一方、第１の給電部８１ａ〜８１ｆから遠い中央領域では電流が流れにくいので、輝度が低くなる。このような輝度は、表示画像の左右方向に明暗を発生させ、表示品位の低下させる。
【０００６】
以上の問題点に鑑みて、本発明の課題は、選択状態が順次、シフトしていく帯状発光領域を備えた照明装置を用いてブリンキングを実現した電気光学装置、選択状態が順次、シフトしていく帯状発光領域を備えた照明装置、および当該電気光学装置を備えた電子機器において、輝度のばらつきを解消可能な構成を提供することにある。
【課題を解決するための手段】
【０００７】
上記課題を解決するために、本発明では、複数の走査線と、複数のデータ線と、前記複数の走査線と前記複数のデータ線との交差に対応して設けられた複数の画素によって構成された表示部とを有する電気光学装置において、前記表示部の背面に配置され、前記走査線の延在方向に延びた複数の帯状発光領域が配列された照明装置と、前記複数の帯状発光領域の各々に駆動信号を供給して、前記複数の帯状発光領域のうち、所定の帯状発光領域を所定の輝度で発光させて選択状態とするとともに、他の帯状発光領域を消灯あるいは前記所定の輝度より低い輝度で発光させて非選択状態とし、かつ、前記走査線の選択と同期して、前記選択状態となる帯状発光領域を前記走査線の選択方向に順次シフトさせる照明装置駆動回路とを有し、前記複数の帯状発光領域の各々は、前記照明装置駆動回路からの駆動信号を前記複数の帯状発光領域に個別に印加するための第１の給電部と、前記第１の給電部に近い領域の輝度を低下させて当該近い領域と前記第１の給電部から遠い領域の輝度差を調整する輝度調整部とを備えていることを特徴とする。
【０００８】
本発明では、照明装置において走査線の延在方向に延びた複数の帯状発光領域のうち、所定の帯状発光領域を所定の輝度で発光する選択状態とするとともに、他の帯状発光領域を消灯あるいは前記所定の輝度より低い輝度で発光する非選択状態とし、かつ、走査線の順次選択と同期して、選択状態となる帯状発光領域を走査線の選択方向に順次シフトさせることにより、ブリンキングを実現しながら画像を表示する。このため、動画を表示する際でも残像が目立たず、かつ、表示される動画が鮮明である。このような表示動作を行うには、複数の帯状発光領域の各々に、照明装置駆動回路からの駆動信号を前記複数の帯状発光領域に個別に印加するための第１の給電部を設ける必要があるが、本発明では、帯状発光領域内で第１の給電部に近い領域の輝度を低下させて当該近い領域と第１の給電部から遠い領域との輝度差を圧縮する輝度調整部が形成されている。このため、照明装置の各発光領域が帯状で長いために各帯状発光領域において第１の給電部に接続された電極の抵抗の影響が顕在化しやすい構造であっても、このような抵抗の輝度への影響は、輝度調整部によって解消できる。それ故、表示された画像において、走査線の延在方向で輝度ばらつきが発生しないので、品位の高い画像を表示することができる。
【０００９】
本発明において、前記第１の給電部は、前記帯状発光領域の両端部の各々に配置されていることが好ましく、このような構成の場合、両端部に配置された第１の給電部の各々に対して、輝度調整部を構成すればよい。
【００１０】
本発明において、前記輝度調整部は、前記帯状発光領域内で前記第１の給電部に近い領域から遠い領域に向かって輝度を低下させる度合いが小さくなっていることが好ましい。
【００１１】
本発明において、前記照明装置は、前記照明装置駆動回路からの駆動信号を前記複数の帯状発光領域の各々に印加するために前記第１の給電部と対をなす第２の給電部を前記複数の帯状発光領域で共通の給電部として備え、前記複数の帯状発光領域のうち、前記第２の給電部に近い帯状発光領域では当該第２の給電部から遠い帯状発光領域に比較して前記輝度調整部での輝度を低下させる度合いが大きくなっていることが好ましい。
【００１２】
本発明において、前記複数の帯状発光領域は、例えば、第１の電極と、少なくとも発光層を含む機能層と、および該機能層を介して前記第１の電極に対向する第２の電極とを備えたエレクトロルミネッセンス素子によって構成することができる。この場合、前記輝度調整部は、第１の電極、機能層あるいは当該機能層に含まれる複数の層のうちの少なくとも１つの層、および第２の電極のいずれかに部分的な非形成領域を設けることによって構成することができるが、本発明では、機能層あるいは当該機能層に含まれる複数の層のうちの少なくとも１つの層に非形成領域を設けることによって前記輝度調整部を構成することが好ましい。このように構成すると、第１の電極あるいは第２の電極の非形成領域によって前記輝度調整部を構成した場合と比較して、前記輝度調整部を構成したことによる電極の抵抗値の増大を抑えることができる。
【００１３】
また、本発明では、複数の帯状発光領域が配列された照明装置において、前記複数の帯状発光領域の各々に駆動信号を供給して、前記複数の帯状発光領域のうち、所定の帯状発光領域を所定の輝度で発光させて選択状態とするとともに、他の帯状発光領域を消灯あるいは前記所定の輝度より低い輝度で発光させて非選択状態とし、かつ、前記選択状態となる帯状発光領域を順次シフトさせる照明装置駆動回路を備え、前記複数の帯状発光領域の各々は、前記照明装置駆動回路からの駆動信号を前記複数の帯状発光領域に個別に印加するための第１の給電部と、前記第１の給電部に近い領域の輝度を低下させて当該近い領域と前記第１の給電部から遠い領域の輝度差を調整する輝度調整部とを備えていることを特徴とする。
【００１４】
本発明を適用した電気光学装置は、それを表示部とした各種の電子機器に用いることができる。
【発明を実施するための最良の形態】
【００１５】
以下、図面を参照して本発明の実施の形態を説明する。なお、以下に参照する各図において、図面上で認識容易とするために各層や各部材ごとに縮尺や倍率を相違させてある。
【００１６】
［実施の形態１］
（全体構成）
図１は、本発明の実施の形態１に係る電気光学装置のブロック構成図である。図２は、図１に示す電気光学装置の画素の等価回路図である。図３は、図１に示す電気光学装置においてバックライトとして用いた照明装置の概略的な構成図である。
【００１７】
図１に示す電気光学装置１００において、表示部１は、例えば、ＴＦＴ（薄膜トランジスタ）等のスイッチング素子によって液晶素子を駆動するアクティブマトリクス型の表示パネルである。この表示部１には、ｍドット×ｎライン分の画素２がマトリクス状（二次元平面的）に並んでいる。また、表示部１には、それぞれが行方向（Ｘ方向）に延在しているｎ本の走査線Ｙ１〜Ｙｎと、それぞれが走査線Ｙ１〜Ｙｎと交差する列方向（Ｙ方向）に延在しているｍ本のデータ線Ｘ１〜Ｘｍとが設けられており、これらの交差に対応して画素２が配置されている。なお、本実施形態では、１つの画素２を画像の最小表示単位としているが、１つの画素２をＲＧＢの３つのサブ画素で構成してもよい。
【００１８】
図２に示すように、１つの画素２は、等価回路的には、スイッチング素子であるＴＦＴ２１、液晶容量２２および蓄積容量２３によって構成されている。ＴＦＴ２１のソースは１本のデータ線Ｘ（ＸはＸ１〜Ｘｍのいずれかを指す）に接続され、そのゲートは１本の走査線Ｙ（ＹはＹ１〜Ｙｎのいずれかを指す）に接続されている。同一列に並んだ複数の画素２に関しては、それぞれのＴＦＴ２１のソースが同じデータ線Ｘに接続されている。また、同一行に並んだ複数の画素２に関しては、それぞれのＴＦＴ２１のゲートが同じ走査線Ｙに接続されている。ＴＦＴ２１のドレインは、並列に設けられた液晶容量２２と蓄積容量２３とに共通接続されている。液晶容量２２は、画素電極２２ａと、対向電極２２ｂと、これらの電極２２ａ、２２ｂ間に挟持された液晶層とによって構成されている。蓄積容量２３は、画素電極２２ａと、図示しない共通容量電極との間に形成されており、電圧Ｖｃｓが供給される。この蓄積容量２３によって、液晶に蓄積される電荷のリークが抑制される。一方、画素電極２２ａ側には、ＴＦＴ２１を介して、データ電圧が印加され、この電圧レベルに応じて、液晶容量２２と蓄積容量２３とが充放電される。これにより、画素電極２２ａと対向電極２２ｂとの間の電位差（液晶の印加電圧）に応じて、液晶層の透過率（バックライトとして用いた照明装置６から出射された光が液晶層を透過する割合）が設定され、画素２の階調が設定される。
【００１９】
表示部１の背面には、図７〜図９を参照して後述する照明装置６がバックライトとして設けられており、この照明装置６の発光面は、図３に示すように、それぞれが走査線Ｙの延在方向に延在する複数の帯状発光領域８ａ〜８ｆで構成されている。帯状発光領域８ａ〜８ｆのそれぞれは、互いに独立して発光可能であり、後述する照明装置駆動回路７からの駆動信号ＢＬａ〜ＢＬｆによって制御される光源が個別に設けられている。このような光源としては、例えば、ＥＬ（エレクトロルミネッセンス素子）、ＬＥＤまたはランプ（蛍光管）といった任意の発光体を用いることができ、本形態では、図９を参照して後述するＥＬ素子が用いられている。
【００２０】
再び図１において、制御回路５は、図示しない上位装置より入力される垂直同期信号Ｖｓ、水平同期信号Ｈｓ、ドットクロック信号ＤＣＬＫ等の外部信号に基づいて、走査線駆動回路３、データ線駆動回路４および照明装置駆動回路７に対して、各種の内部信号（スタート信号ＤＹおよびクロック信号ＣＬＹ等を含む）を供給する。この制御回路５の制御下において、走査線駆動回路３およびデータ線駆動回路４は、互いに協働して表示部１の表示制御を行う。
【００２１】
走査線駆動回路３は、シフトレジスタおよび出力回路を主体に構成されており、走査線Ｙ１〜Ｙｎの線順次走査を行う。具体的には、走査線駆動回路３は、１フレーム（１Ｆ）の最初に供給されるスタートパルスＤＹを、クロック信号ＣＬＹにしたがって転送し、各走査線Ｙ１〜Ｙｎの走査信号を順次排他的に高電位レベルに設定する。これにより、走査線Ｙ１〜Ｙｎは、所定の選択順序にしたがい（一般的には最上から最下に向かって）、順次選択されていく。一方、データ線駆動回路４は、シフトレジスタ、ラインラッチ回路、ＤＡコンバータおよび出力回路を主体に構成されており、走査線駆動回路３と協働して、データの書込対象となる画素行に供給すべきデータをデータ線Ｘ１〜Ｘｍに出力する。データ線駆動回路４は、ある水平走査期間（１Ｈ）で、今回データを書き込む画素行に対するデータの一斉出力と、次の１Ｈでデータを書き込む画素行に関するデータの点順次的なラッチとを並行して行う。
【００２２】
照明装置駆動回路７は、照明装置６の発光面のうち、走査線Ｙの延在方向に延在する帯状領域を明るく発光させ、それ以外の領域を暗く発光させる。それとともに、照明装置駆動回路７は、走査線駆動回路３による走査線Ｙの順次選択と同期して、照明装置６の発光面上に設定される帯状領域を走査線Ｙの選択方向に順次シフトさせる。以下、一例として、走査線Ｙの本数を６００本（Ｙ１〜Ｙ６００）とし、かつ、照明装置６の発光面を６つに分割することにより、発光単位として６個の帯状発光領域８ａ〜８ｆが規定されているケースについて説明する。この場合、図３に示した最上の帯状発光領域８ａは、走査線群Ｙ１〜Ｙ１００によって規定される表示領域に位置的に対応し、帯状発光領域８ｂは、走査線群Ｙ１０１〜Ｙ２００によって規定される表示領域に位置的に対応する。同様に、帯状発光領域８ｃ、８ｄ、８ｅ、８ｆは、走査線群Ｙ２０１〜Ｙ３００、Ｙ３０１〜Ｙ４００、Ｙ４０１〜Ｙ５００、Ｙ５０１〜Ｙ６００、によって規定される表示領域にそれぞれ位置的に対応する。
【００２３】
（照明装置駆動回路の構成）
図４は、図１に示す電気光学装置に構成した照明装置駆動回路の回路図である。図５は、図４に示す照明装置駆動装置による照明装置に対する駆動タイミングのチャート図である。
【００２４】
図４において、照明装置駆動回路７は、６個の回路ユニット７ａ〜７ｆで構成されており、これらは対応する帯状発光領域８ａ〜８ｆに対して駆動信号ＢＬａ〜ＢＬｆを出力する。これらの回路ユニット７ａ〜７ｆは、カウンタ７０、パルス発生回路７１およびスイッチ７２を有し、カウンタ７０の制御が異なる点を除けば、基本的に同様の構成になっている。カウンタ７０は、走査線駆動回路３と共通して供給されるクロック信号ＣＬＹのレベル遷移をカウントするダウンカウンタである。パルス発生回路７１は、その前段のカウンタ７０からの指示に応じて、所定の時間幅を有するＨレベルのパルスを出力する。スイッチ７２は、その前段のパルス発生回路７１からのパルスに応じて、対応する後段の帯状発光領域８に供給すべき駆動信号ＢＬを第１のレベルＬ１（選択レベル）または第２のレベルＬ２（非選択レベル）に択一的に設定する。ここで、「第１のレベル」とは、照明装置６の発光面を構成する帯状発光領域８ａ〜８ｆを高輝度で明るく発光させる信号レベルをいい、「第２のレベル」とは、これらの帯状発光領域８ａ〜８ｆを低輝度（ただし、黒は除く）で暗く発光させる信号レベルをいう。照明装置６の光源がＥＬ素子といった電流駆動型素子の場合、駆動信号ＢＬのレベルＬ１、Ｌ２は電流レベルで設定されるのに対して、蛍光管等の場合には、電圧レベルで駆動信号ＢＬが設定される。それぞれのスイッチ７２から出力された駆動信号ＢＬａ〜ＢＬｆは、照明装置６に供給される。
【００２５】
本実施形態にかかる駆動制御について、回路ユニット７ａ〜７ｆの順序で詳述する。まず、図５において、帯状発光領域８ａを制御対象とする回路ユニット７ａは、スタート信号ＤＹによって規定される１フレームの開始タイミングｔ０から所定の期間Ｔ１が経過した時点で、所定の期間Ｔ２だけ、駆動信号ＢＬａを第１のレベルＬ１に設定する。具体的には、この回路ユニット７ａのカウンタ７０は、スタート信号ＤＹによって現在のカウント値ＣＴが期間Ｔ１相当のカウント値ＣＴ１にリセットされる。この期間Ｔ１は、１００本分の走査線Ｙの選択に要する期間αに、液晶の応答時間β（データの書込から透過率が飽和状態になるまでの期間）を加算した期間（α＋β）である。タイミングｔ０以降、カウンタ７０は、クロック信号ＣＬＹのレベル遷移毎に、現在のカウント値ＣＴから１を順次デクリメントし、ＣＴ＝０に到達するまでは低電位レベルを出力し続ける。そして、期間Ｔ１の経過時点、すなわち、上から１００番目の走査線Ｙ１００の選択終了時から更に応答時間βが経過したタイミングｔ１ａにおいて、カウント値ＣＴが０に到達し、カウンタ７０の出力が低電位レベル（Ｌレベル）から高電位レベル（Ｈレベル）に立ち上がる。後段のパルス発生回路７１は、この立ち上がりに基づいて、期間Ｔ２の時間幅で、Ｈレベルのパルスを出力する。スイッチ７２は、パルスが出力される期間Ｔ２では第１のレベルＬ１、それ以外の期間では第２のレベルＬ２をそれぞれ選択し、これらが駆動信号ＢＬａとして帯状発光領域８ａに出力される。その結果、帯状発光領域８ａは、期間Ｔ２（＝ｔ１ａ〜ｔ２ａ）で明るく発光し、それ以外の期間では暗く発光する。
【００２６】
つぎに、帯状発光領域８ｂを制御対象とする回路ユニット７ｂは、駆動信号ＢＬａの立ち上がりタイミングｔ１ａから所定の期間Ｔ１′が経過した時点で、所定の期間Ｔ２だけ、駆動信号ＢＬｂを第１のレベルＬ１に設定する。具体的には、この回路ユニット７ｂのカウンタ７０は、駆動信号ＢＬａの立ち上がりによって現在のカウント値ＣＴが期間Ｔ１′相当のカウント値ＣＴ１′にリセットされる。この期間Ｔ１′は、１００本分の走査線Ｙの選択に要する期間αである。タイミングｔ１ａ以降、カウンタ７０は、クロック信号ＣＬＹのレベル遷移毎に、現在のカウント値ＣＴから１を順次デクリメントし、ＣＴ＝０に到達するまではＬレベルを出力し続ける。そして、タイミングｔ１ａから期間Ｔ１′が経過したタイミングｔ１ｂにおいて、カウント値ＣＴが０に到達し、カウンタ７０の出力がＬレベルからＨレベルに立ち上がる。後段のパルス発生回路７１は、この立ち上がりに基づいて、期間Ｔ２の時間幅で、Ｈレベルのパルスを出力する。スイッチ７２は、パルスが出力される期間Ｔ２では第１のレベルＬ１、それ以外の期間では第２のレベルＬ２をそれぞれ選択し、これらが駆動信号ＢＬｂとして帯状発光領域８ｂに出力される。その結果、帯状発光領域８ｂは、帯状発光領域８ａよりも期間αだけ遅れて、時間幅Ｔ２（＝ｔ１ｂ〜ｔ２ｂ）で明るく発光し、それ以外は暗く発光する。
【００２７】
帯状発光領域８ｃ以降についても、帯状発光領域８ｂと同様のプロセスで、発光制御が行われる。すなわち、帯状発光領域８ｃを制御対象とする回路ユニット７ｃは、駆動信号ＢＬｂの立ち上がりタイミングｔ１ｂから所定の期間Ｔ１′が経過した時点で、所定の期間Ｔ２だけ、駆動信号ＢＬｃを第１のレベルＬ１に設定する。これにより、帯状発光領域８ｃは、帯状発光領域８ｂよりも期間αだけ遅れて、時間幅Ｔ２（＝ｔ１ｃ〜ｔ２ｃ）で明るく発光し、それ以外は暗く発光する。帯状発光領域８ｄを制御対象とする回路ユニット７ｄは、駆動信号ＢＬｃの立ち上がりタイミングｔ１ｃから所定の期間Ｔ１′が経過した時点で、所定の期間Ｔ２だけ、駆動信号ＢＬｄを第１のレベルＬ１に設定する。これにより、帯状発光領域８ｄは、帯状発光領域８ｃよりも期間αだけ遅れて、時間幅Ｔ２（＝ｔ１ｄ〜ｔ２ｄ）で明るく発光し、それ以外は暗く発光する。また、帯状発光領域８ｅを制御対象とする回路ユニット７ｅは、駆動信号ＢＬｄの立ち上がりタイミングｔ１ｄから所定の期間Ｔ１′が経過した時点で、所定の期間Ｔ２だけ、駆動信号ＢＬｅを第１のレベルＬ１に設定する。これにより、帯状発光領域８ｅは、帯状発光領域８ｄよりも期間αだけ遅れて、時間幅Ｔ２（＝ｔ１ｅ〜ｔ２ｅ）で明るく発光し、それ以外は暗く発光する。さらに、帯状発光領域８ｆを制御対象とする回路ユニット７ｆは、駆動信号ＢＬｅの立ち上がりタイミングｔ１ｅから所定の期間Ｔ１′が経過した時点で、所定の期間Ｔ２だけ、駆動信号ＢＬｆを第１のレベルＬ１に設定する。これにより、帯状発光領域８ｆは、帯状発光領域８ｅよりも期間αだけ遅れて、時間幅Ｔ２（＝ｔ１ｆ〜ｔ２ｆ）で明るく発光し、それ以外は暗く発光する。
【００２８】
（動作）
図６は、図４に示す照明装置駆動装置による照明装置の順次シフトの説明図である。図６において、ハッチングで示した領域は、明るく発光している選択状態の帯状発光領域８であり、それ以外の領域は、暗く発光している非選択状態の帯状発光領域８である。まず、走査線グループＹ１〜Ｙ１００の選択時には、隣接した２つの帯状発光領域８ｂ、８ｃに相当する帯状領域が明るく発光し、それ以外の領域は暗く発光する（図６（ａ））。つぎに、走査線グループＹ１０１〜Ｙ２００の選択時には、帯状発光領域８ｃをオーバラップさせるべく、１帯状発光領域だけ下方へシフトさせる。これにより、隣接した帯状発光領域８ｃ、８ｄに相当する帯状領域が明るく発光し、それ以外の領域は暗く発光する（図６（ｂ））。ここで、帯状領域をシフトさせる際に帯状発光領域のオーバラップを行う理由は、帯状領域のシフトを連続的にするためである。続く走査線グループＹ２０１〜Ｙ３００の選択時には、帯状発光領域８ｄをオーバラップさせるべく、１帯状発光領域８分だけ下方にシフトさせる。これにより、帯状発光領域８ｄ、８ｅに相当する帯状領域が明るく発光する（図６（ｃ））。続く走査線グループＹ３０１〜Ｙ４００の選択時には、帯状発光領域８ｅをオーバラップさせるべく、１帯状発光領域分だけ下方にシフトさせる。これにより、帯状発光領域８ｅ、８ｆに相当する帯状領域が明るく発光する（図６（ｄ））。そして、走査線グループＹ４０１〜Ｙ５００の選択時には、帯状発光領域８ｆをオーバラップさせるべく、１帯状発光領域８分だけ下方にシフトさせる。これにより、帯状発光領域８ｆ、８ａに相当する帯状領域が明るく発光する（図６（ｅ））。最後に、走査線グループＹ５０１〜Ｙ６００の選択時には、帯状発光領域８ａをオーバラップさせるべく、１帯状発光領域分だけ下方にシフトさせる。これにより、帯状発光領域８ａ、８ｂに相当する帯状領域が明るく発光する（図６（ｆ））。
【００２９】
このように、本実施形態によれば、照明装置６の発光面のうち、所定の帯状領域を明るく発光させるとともに、それ以外の帯状領域を暗く発光させる。そして、走査線Ｙの順次選択と同期して、発光面上の帯状領域を走査線Ｙの選択方向に順次シフトさせる。これにより、明るく発光させる領域（白領域）と、暗く発光させる領域（グレー領域）との間の輝度差が小さくなるので、表示のちらつきを有効に抑制できる。その結果、フリッカを抑制しつつ、表示ボケの解消を図ることが可能となる。また、帯状領域をオーバラップさせながら順次シフトさせた場合には、帯状領域のシフトが連続的になるので、フリッカを一層有効に抑制することができる。なお、図４の回路構成は照明装置の点灯動作を説明するもので、この回路に限定する趣旨ではなく、同様の動作をさせることの出来る他の回路構成であっても良い。
【００３０】
（照明装置の具体的な構成）
本発明を適用した電気光学装置１００および照明装置６は、具体的には図７〜図９に示すように構成される。図７は、本発明の実施の形態１に係る電気光学装置の要部の分解斜視図である。図８（ａ）、（ｂ）は、図７に示す電気光学装置１００に用いた照明装置の発光面を示す平面図、および断面図である。図９は、本発明を適用した電気光学装置１００に用いた照明装置の帯状発光領域の構成を示す説明図である。
【００３１】
図７に示すように、本発明を適用した電気光学装置１００は、表示部１を構成するアクティブマトリクス型の液晶表示パネルを備えており、その表面側および裏面側には、偏光板や位相差板などといった光学素子１１、１２が各々配置されている。また、表示部１の裏面側には照明装置６が配置され、照明装置６と表示部１との間には光散乱板などの光学素子１３が配置されている。
【００３２】
図８（ａ）に示すように、照明装置６は、走査線Ｙの延在方向に延びた複数の帯状発光領域８ａ〜８ｆが走査線Ｙの延在方向と交差する方向に配列されており、本形態において、６つの帯状発光領域８ａ〜８ｆはいずれも、図８（ｂ）および図９に示すＥＬ素子９から構成されている。このＥＬ素子９では、基板９１上に、スパッタ法などで成膜したＩＴＯ膜などからなる帯状の陽極層９２と、蒸着法やインクジェット法などで成膜した正孔注入層９３１や発光層９３２を備えた機能層９３と、スパッタ法などで成膜したアルミニウムなどの金属からなる陰極層９４とがこの順に積層されている。また、図示を省略するが、陰極層９４の上には機能層９３への水分などの侵入を防止する封止樹脂層や封止基板が配置されている。さらに、発光層９３２と陰極層９４との間には電子注入層が形成されることもある。
【００３３】
ここで、陽極層９２および機能層９３は、帯状に形成されて帯状発光領域８ａ〜８ｆを規定しているが、陰極層９４は、ベタに形成されて各帯状発光領域８ａ〜８ｆに対して共通である。従って、帯状に形成された陽極層９２の間、および機能層９３の間には絶縁膜が形成され、陽極層９２と陰極層９４との短絡を防止する構造になっている。なお、機能層９３は、それを構成する材料によってはベタに形成されて、各帯状発光領域８ａ〜８ｆに対して共通に形成されることもある。
【００３４】
このように構成した各帯状発光領域８ａ〜８ｆ（各ＥＬ素子９）に駆動信号ＢＬａ〜ＢＬｆを個別に印加するために、各帯状発光領域８ａ〜８ｆには、各帯状発光領域８ａ〜８ｆの陽極層９２に各々接続する第１の給電部８１ａ〜８１ｆ（アノード）が構成される。このような第１の給電部８１ａ〜８１ｆは、層間絶縁膜に形成したコンタクトホールを介して陽極層８２に接続する端子などである。本形態において、第１の給電部８１ａ〜８１ｆは、各帯状発光領域８ａ〜８ｆの両端部の各々に配置されている。
【００３５】
これに対して、陰極層９４は、各帯状発光領域８ａ〜８ｆに対して共通であるため、第１の給電部８１ａ〜８１ｆと対をなす第２の給電部８２は、帯状発光領域８ｆ側方の１箇所のみに形成されている。
【００３６】
このようにした帯状発光領域８ａ〜８ｆに対して、第１の給電部８１ａ〜８１ｆと第２の給電部８２とを利用して駆動信号ＢＬａ〜ＢＬｆを印加すると、陰極層９４から発光層９３２に電子が注入される一方、陽極層９２から発光層９３２に正孔が注入され、注入された電子およびホールを発光中心で再結合させて発光層９３２を構成する有機分子を励起状態にし、この有機分子が励起状態から基底状態へと戻るときに蛍光を発生する。このようにして発生した蛍光は、発光層９３２から基板９１から直接出射される。また、発光層９３２から基板９１とは反対側に出射された蛍光は、陰極層９４で反射した後、基板９１から直接出射される。なお、陰極層９４として光透過性のものを用い、陽極層９２と基板９１との層間や基板９１の外側の面に反射層を形成しておけば、発光層９３２で発生した蛍光を陰極層９４の側から出射することもできる。
【００３７】
ここで、各発光領域は帯状に長い帯状発光領域８ａ〜８ｆとして形成され、それに伴い、ＩＴＯ層からなる陽極層９２も帯状に長い。しかも、ＩＴＯ膜は、金属膜と比較して抵抗値が高いため、電圧降下が大きい。従って、各帯状発光領域８ａ〜８ｆにおいて第１の給電部８１ａ〜８１ｆに接続された陽極層９１の抵抗が影響し、第１の給電部８１ａ〜８１ｆに近い領域で輝度が高く、第１の給電部８１ａ〜８１ｆから遠い中央領域に向かって輝度が低くなるおそれがある。
【００３８】
そこで、本形態では、帯状発光領域８ａ〜８ｆの各々には、その両端部の各々に形成した第１の給電部８１ａ〜８１ｆよりやや中央側に、機能層９３が部分的に形成されていない非形成領域９３０を設けてあり、このような発光に寄与しない非形成領域９３０を形成することによって、帯状発光領域８ａ〜８ｆ内で第１の給電部８１ａ〜８１ｆに近い領域の輝度を低下させて、第１の給電部８１ａ〜８１ｆに近い領域と遠い領域の輝度差を圧縮する輝度調整部８３ａ〜８３ｆが構成されている。ここで、輝度調整部８３ａ〜８３ｆは非発光領域であるが、そのサイズは小さく、かつ、照明装置６と表示部１との間には光散乱板などが配置されているので、黒い影として視認されることはない。また、機能層９３の非形成領域９３０は絶縁膜で埋められており、陽極層９２と陰極層９４との短絡を防止する構造になっている。
【００３９】
また、本形態では、輝度調整部８３ａ〜８３ｆの平面形状については、第１の給電部８１ａ〜８１ｆに近い領域から中央に向かって頂部を向けた三角形を幅方向で２つ並列した形状になっており、輝度調整部８３ａ〜８３ｆは、各帯状発光領域８ａ〜８ｆ内で第１の給電部８１ａ〜８１ｆに近い領域から遠い中央領域に向かって輝度を低下させる度合いが小さくなっている。
【００４０】
（本形態の主な効果）
このように本形態では、ブリンキングを実現しながら画像を表示することを目的に、複数の帯状発光領域８ａ〜８ｆの各々に、照明装置駆動回路７からの駆動信号ＢＬａ〜ＢＬｆを複数の帯状発光領域８ａ〜８ｆに個別に印加するための第１の給電部８１ａ〜８１ｆを設けるとともに、帯状発光領域８ａ〜８ｆには、帯状発光領域８ａ〜８ｆ内で第１の給電部８１ａ〜８１ｆに近い領域の輝度を低下させて、第１の給電部８１ａ〜８１ｆに近い領域と第１の給電部８１ａ〜８１ｆから遠い領域の輝度差を圧縮する輝度調整部８３ａ〜８３ｆを形成してある。このため、表示された画像において、走査線Ｙの延在方向で輝度ばらつきが発生しないので、品位の高い画像を表示することができる。
【００４１】
また、輝度調整部８３ａ〜８３ｆを形成するにあたって、本形態では、機能層９３に非形成領域９３０を設けてある。このため、遮光部分により輝度調整部８３ａ〜８３ｆを構成した場合には、光量の損失が発生するが、本形態によれば、このような光量の損失がないという利点がある。また、陽極層９２や陰極層９４の非形成領域により輝度調整部８３ａ〜８３ｆを構成した場合には、その分、電極層での抵抗が増大するが、本形態によれば、かかる抵抗の増大が発生しないという利点もある。
【００４２】
［実施の形態２］
図１０は、本発明の実施の形態２に係る電気光学装置に用いた照明装置の発光面を示す平面図である。なお、本形態の基本的な構成は、実施の形態１と同様であるため、共通する部分には同一を符号を付してそれらの説明を省略する。
【００４３】
図１０に示すように、本形態の電気光学装置に用いた照明装置６も、実施の形態１と同様、６つの帯状発光領域８ａ〜８ｆを備えており、帯状発光領域８ａ〜８ｆはいずれも、図８（ａ）、（ｂ）および図９を参照して説明したＥＬ素子９から構成されている。
【００４４】
このように構成した各帯状発光領域８ａ〜８ｆのＥＬ素子９に駆動信号ＢＬａ〜ＢＬｆを個別に印加するために、本形態でも、実施の形態１と同様、各帯状発光領域８ａ〜８ｆの両端部の各々には、各帯状発光領域８ａ〜８ｆの陽極層９２に各々接続する第１の給電部８１ａ〜８１ｆが構成されている。また、陰極層９４は、各帯状発光領域８ａ〜８ｆに対して共通であるため、第１の給電部８１ａ〜８１ｆと対をなす第２の給電部８２は、帯状発光領域８ｆ側方の１箇所のみに配置されている。
【００４５】
このように構成した照明装置６において、各発光領域は帯状に長い帯状発光領域８ａ〜８ｆとして形成され、それに伴い、ＩＴＯ層からなる陽極層９２も帯状に長い。そこで、本形態では、帯状発光領域８ａ〜８ｆの各々には、その両端部の各々に形成した第１の給電部８１ａ〜８１ｆよりやや中央側に、機能層９３が部分的に形成されていない非形成領域９３０を設け、この非形成領域９３０によって、帯状発光領域８ａ〜８ｆ内で第１の給電部８１ａ〜８１ｆに近い領域の輝度を第１の給電部８１ａ〜８１ｆから遠い領域の輝度よりも低下させる輝度調整部８３ａ〜８３ｆを構成してある。
【００４６】
ここで、輝度調整部８３ａ〜８３ｆは、第１の給電部８１ａ〜８１ｆに近い領域から中央に向かって頂部を向けた三角領域内に複数の穴が等しい密度で形成された構造になっており、第１の給電部８１ａ〜８１ｆに近い領域では、穴（機能層９３の非形成領域９３０）が多数形成され、第１の給電部８１ａ〜８１ｆから遠い領域では、穴（機能層９３の非形成領域９３０）が少数しか形成されていない。従って、輝度調整部８３ａ〜８３ｆは、各帯状発光領域８ａ〜８ｆ内で第１の給電部８１ａ〜８１ｆに近い領域から遠い中央領域に向かって輝度を低下させる度合いが小さくなっている。
【００４７】
また、本形態では、第２の給電部８２は、複数の帯状発光領域８ａ〜８ｆのうち、一番端の帯状発光領域８ｆ側方の一箇所のみに配置されている。そこで、本形態では、各帯状発光領域８ａ〜８ｆにおいて、輝度調整部８３ａ〜８３ｆを構成する穴の大きさは、第２の給電部８２に近い帯状発光領域では第２の給電部８２から遠い帯状発光領域に比較して大きくなっており、第２の給電部８２に近い帯状発光領域では第２の給電部８２から遠い帯状発光領域に比較して輝度を低下させる度合いが大きくなっている。
【００４８】
このように本形態では、ブリンキングを実現しながら画像を表示することを目的に、複数の帯状発光領域８ａ〜８ｆの各々に、照明装置駆動回路からの駆動信号を複数の帯状発光領域８ａ〜８ｆに個別に印加するための第１の給電部８１ａ〜８１ｆを設けるとともに、帯状発光領域８ａ〜８ｆには、帯状発光領域８ａ〜８ｆ内で第１の給電部８１ａ〜８１ｆに近い領域の輝度を第１の給電部８１ａ〜８１ｆから遠い領域の輝度よりも低下させる輝度調整部８３ａ〜８３ｆを形成してある。このため、表示された画像において、走査線Ｙの延在方向で輝度ばらつきが発生しないので、品位の高い画像を表示することができるなど、実施の形態１と同様な効果を奏する。
【００４９】
また、本形態では、第２の給電部８２に近い帯状発光領域では第２の給電部８２から遠い帯状発光領域に比較して輝度調整部８３ａ〜８３ｆで輝度を低下させる度合いが大きくなっているため、表示された画像において、走査線Ｙの延在方向と交差する方向（データ線Ｘの延在方向）での輝度ばらつきも防止することができ、品位の高い画像を表示することができる。
【００５０】
［その他の実施の形態］
上記形態では、照明装置６において走査線の延在方向に延びた複数の帯状発光領域８ａ〜８ｆのうち、所定の帯状発光領域を所定の輝度で発光する選択状態とするとともに、他の帯状発光領域を、選択状態にある帯状表示領域より低い輝度で発光させたが、照明装置６において走査線の延在方向に延びた複数の帯状発光領域８ａ〜８ｆのうち、所定の帯状発光領域を所定の輝度で発光する選択状態とするとともに、他の帯状発光領域を消灯状態とする構成を採用してもよい。
【００５１】
また、上記形態では、輝度調整部８３ａ〜８３ｆを形成するにあたって、機能層９３に非形成領域９３０を設けたが、遮光部分や、陽極層９２や陰極層９４の非形成領域によって輝度調整部８３ａ〜８３ｆを構成してもよい。
【００５２】
さらに、上記形態では、照明装置６の分割数を６としたが、分割数はこれに限定されるものではなく、２以上であればよい。また、電気光学装置１００では、動画表示の場合のみ、上述した照明装置６の発光制御によるブリンキングを行い、静止画表示の場合には、照明装置６を一定の輝度で全面発光させてもよい。また、照明装置駆動回路７は、表示部１に表示すべき表示対象に応じて、明るく発光する帯状領域の幅を変えてもよいし、帯状領域とそれ以外の領域との間の輝度差を変えてもよい。例えば、動画の動きが比較的少ない場合には、帯状領域の幅を通常時よりも広げたり、輝度差を通常時よりも小さくするといった如くである。また、例えば、明るい表示画像に関しては大きな光量を確保するといった如く、表示すべき画像に関する本来の明るさの程度に応じて、上記幅や上記輝度差を調整してもよい。
【００５３】
また、本発明は、電気光学装置のバックライトとして用いた照明装置６に限らず、各種表示装置などに用いられる照明装置にも適用することができる。
【００５４】
［電子機器への搭載例］
また、上述した各実施形態にかかる電気光学装置１００は、例えば、テレビ、プロジェクタ、携帯電話機、携帯端末、モバイル型コンピュータ、パーソナルコンピュータ等を含む様々な電子機器に実装可能である。これらの電子機器に上述した電気光学装置１００を実装すれば、電子機器の商品価値を一層高めることができ、市場における電子機器の商品訴求力の向上を図ることができる。
【図面の簡単な説明】
【００５５】
【図１】本発明の実施の形態１に係る電気光学装置のブロック構成図である。
【図２】図１に示す電気光学装置の画素の等価回路図である。
【図３】図１に示す電気光学装置に用いた照明装置の概略的な構成図である。
【図４】図１に示す電気光学装置に構成した照明装置駆動回路の回路図である。
【図５】図４に示す照明装置駆動装置による照明装置に対する駆動タイミングのチャート図である。
【図６】図４に示す照明装置駆動装置による照明装置の順次シフトの説明図である。
【図７】本発明の実施の形態１に係る電気光学装置の要部の分解斜視図である。
【図８】（ａ）、（ｂ）は、図７に示す電気光学装置に用いた照明装置の発光面を示す平面図、および断面図である。
【図９】図７に示す電気光学装置に用いた照明装置の帯状発光領域の構成を示す説明図である。
【図１０】本発明の実施の形態２に係る電気光学装置に用いた照明装置の発光面を示す平面図である。
【図１１】従来の電気光学装置に用いた照明装置の発光面を示す平面図である。
【符号の説明】
【００５６】
１・・表示部、２・・画素、６・・照明装置、７・・照明装置駆動回路、８ａ〜８ｆ・・帯状発光領域、９・・ＥＬ素子、９２・・陽極層、９３・・機能層、９４・・陰極層、８１ａ〜８１ｆ・・第１の給電部（アノード）、８２・・第２の給電部（カソード）、８３ａ〜８３ｆ・・輝度調整部、９３０・・機能層の非形成領域、１００・・電気光学装置、ＢＬａ〜ＢＬｆ・・駆動信号
【図１】
2007078927.tif 000003
【図２】
2007078927.tif 000004
【図３】
2007078927.tif 000005
【図４】
2007078927.tif 000006
【図５】
2007078927.tif 000007
【図６】
2007078927.tif 000008
【図７】
2007078927.tif 000009
【図８】
2007078927.tif 000010
【図９】
2007078927.tif 000011
【図１０】
2007078927.tif 000012
【図１１】
2007078927.tif 000013